(57)【要約】【課題】本発明は滑り止め組織布に関し、特に補正下着等の衣服、帽子、靴の中敷、座布団等の身回品、さらにテニスラケット、ゴルフクラブ等のグリップに最適に使用でき、片面は肌触りが良いが、他面は、ポリウレタン糸等より編成される表層組織部により滑り止めに優れ、伸縮性、通気性を発揮する。【解決手段】合成繊維糸および／または天然繊維糸よりなり、ベース組織部２を編成するベース組織部編成用縦糸４と、ポリウレタン糸、または合成繊維糸にゴムをデッピングしたり、コーティングするか、ゴム紐単体よりなり、所望数個毎のコース取りにより所望の編目組織柄の表層組織部３を形成する表層組織部編成用縦糸５とを縦編みして組織布１が編成され、表層組織部３は、ベース組織部の表面側または裏面側の片面に編成される。【選択図】　　　図１
2004124273.tif 000002
【特許請求の範囲】
【請求項１】
合成繊維糸および／または天然繊維糸よりなり、ベース組織部を編成するベース組織部編成用縦糸と、ポリウレタン糸、または合成繊維糸にゴムをデッピングしたり、コーティングするか、ゴム紐単体よりなり、所望数個毎のコース取りにより所望の編目組織柄の表層組織部を形成する表層組織部編成用縦糸とを縦編みすることにより組織布が編成され、前記表層組織部は、前記ベース組織部の表面側または裏面側の何れか片面に編成されることを特徴とする滑り止め組織布。
【請求項２】
表層組織部は、ウェル方向に配索される第１の表層組織部編成用縦糸と、第２の表層組織部編成用縦糸とを組合わせて編込まれ、第１の表層組織部編成用縦糸は、編目組織柄の断面が表面側にて前記ベース組織部および第２の表層組織部編成用縦糸の所望の編目に編込まれ、第２の表層組織部編成用縦糸は、裏面側と表面側との中間部に配索されて前記ベース組織部および第２の表層組織部編成用縦糸の所望の編目に編込まれることを特徴とする請求項１に記載の滑り止め組織布。
【請求項３】
表層組織部編成用縦糸は、ウェル方向に配列される所望数本の筬目毎に配索されて各個にコース取りがなされる所望本数が組合わされることにより所望の編目組織柄が編成されることを特徴とする請求項１または２の何れかに記載の滑り止め組織布。
【請求項４】
表層組織部編成用縦糸は、ウェル方向に配列される所望数本の筬目毎に配列される２本１組のアトラス模様を組合わせて全体形状が略菱形に編成される組織図柄を形成することを特徴とする請求項１，請求項２，または請求項３の何れかに記載の滑り止め組織布。
【請求項５】
表層組織部編成用縦糸は、ウェル方向に配列される所望数本の筬目毎に配列される２本１組の組合わせにより編成されるデンビー模様の組織図柄を形成することを特徴とする請求項１，請求項２，または請求項３の何れかに記載の滑り止め組織布。
【請求項６】
ベース組織部編成用縦糸と表層組織部編成用縦糸とにより編まれる組織布に対する表層組織部編成用縦糸の混率が、７０〜８０重量％であることを特徴とする請求項１，２，３，４，または５の何れかに記載の滑り止め組織布。
【請求項７】
ベース組織部編成用縦糸の糸径が３３〜１６８（ＤＴ）であるのに対して表層組織部編成用縦糸の糸径が、４４〜６２０（ＤＴ）であることを特徴とする請求項１，２，３，４，５，または６の何れかに記載の滑り止め組織布。
【請求項８】
ベース組織部編成用縦糸と表層組織部編成用縦糸との面積当たりの占有率が目付４８〜４０２ｇ／ｍ２であることを特徴とする請求項１，２，３，４，５，６，または７の何れかに記載の滑り止め組織布。
【請求項９】
組織布は、コート、上着等のアウター、また、下着、補正下着、生理用パンツ等のインナー、ナイティー、ズボン、パジャマ、水着等の衣服；帽子、靴の中敷、スリッパ、座布団、座布団カバー、シーツ、手袋等の身回品；テニスラケット、ゴルフクラブ、バット等のスポーツ用品のグリップ；の滑り止めとして使用することを特徴とする請求項１，２，３，４，６，７，または８の何れかに記載の滑り止め組織布。
【発明の詳細な説明】
【０００１】
【発明の属する技術分野】
本発明は滑り止め組織布に関し、特に下着、補正下着等の衣服、また、帽子、靴の中敷、座布団、シーツ等の身回品、さらには、テニスラケット、ゴルフクラブ等のスポーツ用品のグリップに最適に使用でき、組織布の表裏何れか片面は、肌触りが良いが、組織布の何れか他面は、ポリウレタン糸等より編成される表層組織部が露出することにより滑り止め性に優れ、また、伸縮性、回復性、耐久性、通気性、保温性も良好に発揮される。
【０００２】
【従来の技術】
従来、特に女性が体形を整えるために補正下着がある。この補正下着には、例えば、胸から胴回りに装用するブラジャーや下肢に装用するガードルがあり、ブラジャーとガードルとを一体にしたものとしてはボディスーツがあった。
そして、ブラジャーは、カップ部の下部周縁や肩ひもに、またガードルは、ウエストの開口部周縁、腹部、ヒップ部の下縁、両肢を挿入するレッグホールの両肢の付け根部分に位置する裾部等に、さらにはボディスーツではブラジャー部のカップ部の下部周縁や肩ひもに、またガードル部では、ウエストの開口部周縁、腹部、ヒップ部の下縁、両肢を挿入するレッグホールの両肢の付け根部分に位置する裾部等の人体に接する各整容部にそれぞれゴム、接着剤等の粘着体を塗布することにより肌との密着性をはかり、ずり上がりやずり下がり等のずれを防止し、しかもバストアップやヒップアップをはかるものがある（例えば特許文献１参照。）。
また、股部を有し、人体にフィットさせて着用する例えばガードル、スパッツ、スポーツ用タイツ等の下半身用衣類のウエスト部分の裏側やレッグホールの両股の付け根部分の裏側にゴムテープなどを装着することによりずり下がりを防止されていることは在来から知られている（特許文献２参照。）。
【０００３】
【特許文献１】
実開平６−７６３０５号公報（１−７頁、図１−図１０）
【特許文献２】
登録実用新案第３０６３３４２号公報（［０００３］、［０００４］）
【０００４】
【発明が解決しようとする課題】
しかしながら、特許文献１に見られるように、特に女性が体形を整えるために装用する例えばブラジャー、ガードル、ボディスーツ等の補正下着の人体に密接する整容部にゴム等の粘着体を塗布することにより肌との密着性をはかり、ずり上がりやずり下がり等のずれを防止するようにしたものは、特に夏期などの高温下において使用者が汗等をかくと、むれによりかゆみを生ずる。また、粘着体が高温度により軟化したり、長時の使用や洗濯を繰り返し行うことにより品質が劣化して補正下着の整容部から脱落し、ずれ防止機能が損なわれる。しかも、補正下着の整容部個所への粘着体の塗布作業を必要とするので、製品の製作工程が増大し、製作効率が低いものであった。
また、特許文献２に見られるように、人体にフィットさせて着用する例えばガードル、スパッツ、スポーツ用タイツ等の股部を有する下半身用衣類のウエスト部分の裏側やレッグホールの両股の付け根部分の裏側にゴムテープなどを装着することによりずり下がりを防止する在来の方法は、ゴムテープが締付力により圧迫感を感じたり、肌にゴムテープの食い込み跡が付いたり、同様にむれや血行不良からかゆみを生じていた。
しかも、ゴムテープの装着には、ゴムテープを覆い隠すための縁折返し処理や縫着作業が必要になり、製品の製作工程が増大し、製作効率が低いものであるとともにゴムテープの装着個所の厚みが厚くなり、装用時に違和感を覚えたり、スカート、ズボン等の外衣の上からのラインが目立ち、不体裁になるという不都合があった。
【０００５】
本発明は上記従来の不都合を解決し、１枚の組織布でありながら、一面は生地素材の本来の風合いを発揮して、他面は滑り止め機能を確実に発揮し、また通気性、伸縮性、フィット性に優れ、回復力、耐久性も抜群であり、特に、下着、補正下着等の衣服、また、帽子、靴の中敷、座布団、シーツ等の身回品、さらには、テニスラケット、ゴルフクラブ等のスポーツ用品のグリップに最適に使用でき、例えば下着、補正下着に適用した場合には、夏期等の高温下においてむれや血行不良によるかゆみを生ぜず、しかも粘着体を単に組織布に塗布するのとは異なり軟化することなく長時の使用や洗濯を繰り返して行っても品質が劣化したり、滑り止め材が脱落することなく、また、ゴム紐等とは異なり装用時に締付力による圧迫感はなく、肌に食込み跡を生ぜず、そのうえ塗布作業が不用になり、製品の製作工程を簡略化して製作効率の向上がはかれ、さらには製作コストが安価な滑り止め組織布を提供しようとする。
【０００６】
【課題を解決するための手段】
本発明の請求項１に記載の発明は、合成繊維糸および／または天然繊維糸よりなり、ベース組織部を編成するベース組織部編成用縦糸と、ポリウレタン糸、または合成繊維糸にゴムをデッピングしたり、コーティングするか、ゴム紐単体よりなり、所望数個毎のコース取りにより所望の編目組織柄の表層組織部を形成する表層組織部編成用縦糸とを縦編みすることにより組織布が編成され、前記表層組織部は、前記ベース組織部の表面側または裏面側の何れか片面に編成されることを特徴とするという手段を採用した。
【０００７】
また、本発明の請求項２に記載の発明は、請求項１において表層組織部は、ウェル方向に配索される第１の表層組織部編成用縦糸と、第２の表層組織部編成用縦糸とを組合わせて編込まれ、第１の表層組織部編成用縦糸は、編目組織柄の断面が表面側にて前記ベース組織部および第２の表層組織部編成用縦糸の所望の編目に編込まれ、第２の表層組織部編成用縦糸は、裏面側と表面側との中間部に配索されて前記ベース組織部および第１の表層組織部編成用縦糸の所望の編目に編込まれることを特徴とするという手段を採用した。
【０００８】
また、本発明の請求項３に記載の発明は、請求項１または２において表層組織部編成用縦糸は、ウェル方向に配列される所望数本の筬目毎に配索されて各個にコース取りがなされる所望本数が組合わされることにより所望の編目組織柄が編成されることを特徴とするという手段を採用した。
【０００９】
また、本発明の請求項４に記載の発明は、請求項１，２，または３において表層組織部編成用縦糸は、ウェル方向に配列される所望数本の筬目毎に配列される２本１組のアトラス模様を組合わせて全体形状が略菱形に編成される組織図柄を形成することを特徴とするという手段を採用した。
【００１０】
また、本発明の請求項５に記載の発明は、請求項１，２，または３の何れかにおいて表層組織部編成用縦糸は、ウェル方向に配列される所望数本の筬目毎に配列される２本１組の組合わせにより編成されるデンビー模様の組織図柄を形成することを特徴とするという手段を採用した。
【００１１】
また、本発明の請求項６に記載の発明は、請求項１，２，３，４，または５の何れかにおいてベース組織部編成用縦糸と表面組織部編成用縦糸とにより編まれる組織布に対する表層組織部編成用縦糸の混率が、７０〜８０重量％含まれることを特徴とするという手段を採用した。
【００１２】
また、本発明の請求項７に記載の発明は、請求項１，２，３，４，５，または６の何れかにおいてベース組織部編成用縦糸の糸径が３３〜１６８（ＤＴ）であるのに対して表層組織部編成用縦糸の糸径が、４４〜６２０（ＤＴ）であることを特徴とするという手段を採用した。
【００１３】
また、本発明の請求項８に記載の発明は、請求項１，２，３，４，５，６，または７の何れかにおいてベース組織部編成用縦糸と表層組織部編成用縦糸との面積当たりの占有率が目付４８〜４０２ｇ／ｍ２　であることを特徴とするという手段を採用した。
【００１４】
さらに、本発明の請求項９に記載の発明は、請求項１，２，３，４，６，７，または８の何れかにおいて組織布は、コート、上着等のアウター、また、下着、補正下着、生理用パンツ等のインナー、ナイティー、ズボン、パジャマ、水着等の衣服；帽子、靴の中敷、スリッパ、座布団、座布団カバー、シーツ、手袋等の身回品；テニスラケット、ゴルフクラブ、バット等のスポーツ用品のグリップ；の滑り止めとして使用することを特徴とするという手段を採用した。
【００１５】
【発明の実施の形態】
以下図面に従って本発明の実施の形態の具体例を説明する。
図１は本発明の滑り止め組織布の一実施形態を示し、編成する場合の組織図、図２は同じく本発明の滑り止め組織布を示す説明的な拡大断面図、図３は滑り止め組織布の網目構造を示す部分切欠斜視図、図４は本実施形態の滑り止め組織布を補正下着としてブラジャーに適用した正面図、図５は同じくガードルに適用した場合の正面図、図６は同じく背面図、図７はボディスーツに適用した正面図、図８は同じくキャミソールに適用した正面図である。
【００１６】
１は組織布であり、この組織布１はベース組織部２と表層組織部３とからなり、前記表層組織部３は、前記ベース組織部２の表面側（または裏面側の何れか片面）に編成され、ベース組織部２を編成するベース組織部編成用縦糸４と、所望数個毎のコース取りにより所望の編目組織柄の表層組織部３を形成する表層組織部編成用縦糸５とを縦編機を用いて縦編みすることにより編成される。
縦編機としては、例えばカールマイヤー社製（独国）のＲＳＥ４Ｎ−３Ｋの固定針床形式の縦編機が使用される。
【００１７】
前記ベース組織部編成用縦糸４は、合成繊維糸、本実施形態では、糸径が３３〜１６８（ＤＴ）のポリエステル繊維糸が使用されるが、このベース組織部編成用縦糸４としては、前述のポリエステル繊維糸に限られず、そのほかの合成樹脂繊維糸、例えばポリアミド繊維糸、ポリエチレン繊維糸、ポリプロピレン繊維糸、ポリビニールアルコール繊維糸、ポリアクリル繊維糸、ポリ塩化ビニール繊維糸、および／または天然繊維糸が使用される。この天然繊維糸は、例えば木綿、麻、絹、羊毛などがあり、これは例示であり、天然繊維糸と前記合成繊維糸の１または２種の何れかが混合され、紡糸された編糸を用いてもよい。
【００１８】
前記表層組織部３は、ウェル方向Ｘに配索される第１の表層組織部編成用縦糸５Ａと、第２の表層組織部編成用縦糸５Ｂとを組合わせて編込まれ、第１の表層組織部編成用縦糸５Ａは、編目組織柄の断面が表面側にて前記ベース組織部２および第２の表層組織部編成用縦糸５Ｂの所望の編目に編込まれ、第２の表層組織部編成用縦糸５Ｂは、裏面側と表面側との中間部に配索されて前記ベース組織部２および第１の表層組織部編成用縦糸５Ａの所望の編目に編込まれる。
【００１９】
また、前記表層組織部編成用縦糸５は、本実施形態では、糸径が４４〜６２０（ＤＴ）のポリウレタン糸が、使用されるが、この範囲は代表的な例示である。表層組織部編成用縦糸５としては、前述のポリウレタン糸のほかに前述のような合成繊維糸に天然ゴムまたは合成ゴム等のゴムをデッピングしたものやまたは、ゴムをコーティングしたものを用いるか、さらには、ゴム紐単体を用いることもできる。
【００２０】
また、表層組織部編成用縦糸５は、ウェル方向Ｘ（列方向）に所望ゲージにて配列される所望数本の筬目毎に配索されて各個にコース取りがなされる所望本数が組合わされることにより所望の編目組織柄が編成される。
本実施形態では図１および図３に示すようにウェル方向Ｘ（列方向）に配列される４本の箴毎に配索される２本１組の表層組織部編成用縦糸５Ａ，５Ｂにより、図１、図３の囲みＡ内に想像線で描いたようなベース組織部編成用縦糸４にて編成される４コースアトラスのベース組織部２の表面に、図１、図３の囲みＢ，Ｂ′内に想像線で描いたように６コースアトラスのアトラス模様を組合わして編成する全体が菱形をなす組織図柄に形成される。図１および図３中においてＭ１は閉じ目、またＭ２は開き目である。このように、本実施形態で編成されるベース組織部編成用縦糸４と表層組織部編成用縦糸５との面積あたりの占有率は、目付４８〜４０２ｇ／ｍ２になる。
この編目の目付の数値範囲は、組織布１自体の用途に合わせて通気性、発汗性、保温性、伸縮性、フィット性、回復性、耐久性を考慮して表層組織布５Ａ，５Ｂによる滑り止め機能が充分に発揮されるように選定される。
【００２１】
また、ベース組織部編成用縦糸４と表層組織部編層用縦糸５とにより編まれる組織布１に対する表層組織部編成用縦糸５の混率は、本実施形態では、７０〜８０重量％含まれる。しかも、前述のように、ベース組織部編成用縦糸４の糸径が３３〜１６８（ＤＴ）であるのに対して表層組織部編成用縦糸５の糸径が、４４〜６２０（ＤＴ）である。このように、表層組織部編成用縦糸５の糸径を、ベース組織部編成用縦糸４の糸径よりも太くしたのは、滑り止め機能を発揮する表層組織部３を片面、本実施形態では表面に有する１枚の組織布１を形成するのと、組織布１自体を軽量化するのと、ウェル方向Ｘ（列方向）に配列される所望数本の筬目毎に配索されて各個にコース取りがなされることにより２本の表層組織部編成用縦糸５Ａ，５Ｂの組合わせにより編成される所望の編目組織柄、例えば図１、図３の想像線で描かれた囲みＡ内に示すように、ベース組織部編成用縦糸４により編成される４コースアトラスのベース組織部２の表面に、図１、図３の想像線で描いた囲みＢ，Ｂ′内に示すように６コースアトラスの２本１組の表層組織部編成用縦糸５Ａ，５Ｂの組み合わせにより編成される全体形状が菱形の編目組織柄によりウェル方向Ｘおよびコース方向Ｙへのいずれの方向にも滑り止め機能の向上をはかるためである。
【００２２】
このようにして編成された組織布１は、一面が合成繊維糸、本実施形態では、糸径が３３〜１６８（ＤＴ）のポリエステル繊維糸にて編成されるベース組織部２の他面側（表面）に、ポリウレタン糸よりなる所望の編目組織柄、例えばアトラス模様を組み合わした全体形状が菱形の表層組織部３が編成されたので、１枚の組織布１であっても、一面（裏面側）はベース組織部２により生地本来の例えば柔軟性を有し、肌ざわりの良い風合いを発揮し、通気性、発汗性、保温性、伸縮性、フィット性、回復性、耐久性を有し、また、単一の１枚の組織布１の他面（表面側）に編成されたポリウレタン糸よりなる所望の編目組織柄の表層組織部３により充分な滑り止め機能が確実に発揮される。
【００２３】
そして、ベース組織部編成用縦糸４と表層組織部編成用縦糸５とにより編まれる組織布１に対して表層組織部編成用縦糸５の混率は、本実施形態では、７０〜８０重量％含まれているので、１枚の組織布１であり、軽量かつ厚みが薄くても、一面がベース組織部２となし、他面は充分な滑り止め機能を発揮する表層組織部３が編成された組織布１が得られる。
【００２４】
また、本実施形態で使用されるベース組織部編成用縦糸４は、前述のようにポリエステル繊維糸を使用してベース組織部２を編成しているが、これは代表的な例示であり、これに限ることなく、そのほかに例えば合成樹脂繊維糸、例えばポリアミド繊維糸、ポリエチレン繊維糸、ポリプロピレン繊維糸、ポリビニールアルコール繊維糸、ポリアクリル繊維糸、ポリ塩化ビニール繊維糸、および／または例えば木綿、麻、絹、羊毛など天然繊維糸を用いてベース用組織部２を編成するようにしてもよい。
【００２５】
また、本実施形態では、使用されるベース組織部編成用縦糸４の糸径が３３〜１６８（ＤＴ）であるのに対して表層組織部編成用縦糸５の糸径が、４４〜６２０（ＤＴ）であるが、このように、表層組織部編成用縦糸５の糸径を、ベース組織部編成用縦糸４の糸径よりも数倍も太くしたのは、表層組織部編成用縦糸５による充分な滑り止め機能を発揮する表層組織部３を一面に有する１枚の組織布１を形成するのと、滑り止め機能を発揮する組織布１でさえも組織布１自体の重量を軽量化するのと、ウェル方向Ｘ（列方向）に所望ゲージにて配列される所望数本の筬目毎に配索されて各個にコース取りがなされることにより所望本数、図示する実施形態では２本の表層組織部編成用縦糸５Ａ，５Ｂにより編成される所望の編目組織柄、例えばアトラス模様から形成される全体が菱形の網目組織柄よりなる表層組織部３の滑り止め機能の向上をはかるためである。
【００２６】
また、表層組織部３は、表層組織部編成用縦糸５が、ウェル方向Ｘ（列方向）に配列される所望数本の筬目毎に配索されて各個にコース取りがなされる所望本数が組合わされることにより所望の編目組織柄に編成される。
すなわち、図示する本実施形態では、ウェル方向Ｘ（列方向）に所望ゲージにて配列される４本の箴毎に配索される２本１組の第１の表層組織部編成用縦糸５Ａと、第２の表層組織部編成用縦糸５Ｂとのアトラス模様（６コースアトラス）を組み合わした全体が菱形の組織図柄よりなるので、この表層組織部編成用縦糸５Ａ，５Ｂの組合わせにより組織布１の表面側に編成される組織図柄によりウェル方向Ｘおよびコース方向Ｙへの２方向への何れの方向にも優れた滑り止め機能が発揮される。
【００２７】
また、この表層組織部３は、ウェル方向Ｘに配索される第１の表層組織部編成用縦糸５Ａと、第２の表層組織部編成用縦糸５Ｂとを組合わせて編込まれ、第１の表層組織部編成用縦糸５Ａは、図２に示すように編目組織柄の断面が表面側にて前記ベース組織部２および第２の表層組織部編成用縦糸５Ｂの所望の編目に編込まれ、しかも、第２の表層組織部編成用縦糸５Ｂは、裏面側と表面側との中間部に配索されて前記ベース組織部２および第１の表層組織部編成用縦糸５Ａの所望の編目に編込まれるので、表層組織部３はウェル方向Ｘ、コース方向Ｙ、さらには厚み方向Ｔへの３次元網目構造に編成され、しかも、第１の表層組織部編成用縦糸５Ａと第２の表層組織部編成用縦糸５Ｂとが組織布１の表面側に表れるため、組織布１自体は伸縮性に富み、回復性にも優れる。しかも、組織布１を長時の使用や繰り返して洗濯を行った場合にもポリウレタン糸よりなる第１の表層組織部編成用縦糸５Ａと第２の表層組織部編成用縦糸５Ｂとの弾発力がある剛性により変形や形崩れがなく優れた強度を発揮し、耐久性に優れる。
【００２８】
また、表層組織部３はウェル方向Ｘ、コース方向Ｙ、さらには厚み方向Ｔへの２層の３次元網目構造に編成されるので、組織布１自体は、通気性、発汗性、保温性にも優れるため、本実施形態の組織布１を例えば特に女性が体形を整えるために装用する例えば図４に示すようなブラジャー２０のカップ部２１，２１の下縁２２，２２と、側面２３，２３と、肩紐２４，２４、また図５および図６に示すようにガードル３０のウエスト開口部３１、腹部３２、ヒップ部の下縁３３，３３、両肢を挿入するレッグホールの両肢の付け根部分に位置する裾部３４，３４、また図７に示すようなボディスーツ４０では、ブラジャー部４１のカップ部４２，４２の下部周縁４３，４３、側面４４，４４、肩紐４５，４５、またガードル部４６では腹部４７、ヒップ部の下縁４８，４８、両肢を挿入するレッグホールの両肢を挿入する両肢の付け根部分に位置する裾部４９，４９、さらには、図８に示すように、キャミソール５０では、ブラジャー５１の左右のカップ部５２，５２の下部周縁５３，５３、該カップ部５２，５２の左右の側面５４，５４、肩紐５５，５５、ウエスト部の下縁５６等の補正下着のように人体に密接する整容部に用いれば、使用者が運動するのに追従して伸縮性、回復性に冨み、また組織布１の表面側に表れる第１の表層組織部編成用縦糸５Ａと、第２の表層組織部編成用縦糸５Ｂとによる滑り止め機能により補正下着の不用意なずれ動きやめくり上がりがなくなり、通気性、発汗性に優れるため、特に夏期などの高温下において使用者が汗等をかく場合にも、むれによりかゆみを生じない。従って、ゴム等の粘着体を塗布することにより肌との密着性をはかるという特許文献１に記載の従来の考案とは異なり粘着体が高温度により軟化したり、しかも、組織布１は伸縮性に冨み、回復性に優れているので、長時の使用や洗濯を繰り返し行うことにより品質が劣化して補正下着が整容部から脱落し、ずれ防止機能が損なわれることはなく、しかも、補正下着の整容部個所への粘着体の塗布作業が不要になるため、製品の製作工程が増大することなく、製作効率は向上する。
【００２９】
また、本実施形態の組織布１は、人体にフィットさせて着用する例えば図５、図６に示す前述のガードル３０のほか、例えばスパッツ、スポーツ用タイツ等の股部を有する下半身用衣類のウエスト部分の裏側やレッグホールの両股の付け根部分の裏側に装着するように使用すれば、特許文献２に見られるように、滑り止め手段としてゴムテープなどを装着するのとは異なり、ゴムテープの締付力により圧迫感を感じたり、肌にゴムテープの食い込み跡が付くことなく、むれや血行不良によるかゆみを生ずることはない。しかも、ゴムテープを覆い隠すための縁折返し処理や縫製作業が不要になり、製品の製作工程が増大することなく、製作効率が高くなるとともにゴムテープの装着個所の厚みが厚くなって装用時に違和感を覚えたり、また、スカート、ズボン等の外衣の上からゴムテープの敷設個所のラインが目立ち、不体裁になることなく夏期などの高温下においてもむれを生ずることなく、かゆみを覚えない。
【００３０】
また、前記表層組織部編成用縦糸５は、本実施形態では、糸径が４４〜６２０（ＤＴ）のポリウレタン糸が、使用されるが、これは代表的な例示であり、糸径の増減変更は自由である。また、使用される表層組織部編成用縦糸５は、本実施形態のようにポリウレタンスパン糸に限ることなく、例えば合成繊維糸に天然ゴムまたは合成ゴム等のゴムをデッピングしたものやまたは、ゴムをコーティングしたものを用いたり、さらには、ゴム紐単体を用いて表層組織部３を編成することもできる。
【００３１】
また、本実施形態で使用される組織布１は、上記説明のように補正下着に使用する場合に限らず、例えば、コート、上着等のアウター、下着、生理用パンツ等のインナー、ナイティー、ズボン、パジャマ、水着等の衣服；帽子、靴の中敷、スリッパ、座布団、座布団カバー、シーツ、手袋等の身回品；テニスラケット、ゴルフクラブ、バット等のスポーツ用品のグリップの滑り止めとして使用することもでき、用途は広範におよぶ。
【００３２】
また、本実施形態でベース組織部２を形成するために使用されるベース組織部編成用縦糸４は、前述のポリエステル繊維糸を使用してベース用組織部２を編成しているが、これは代表的な例示であり、これに限ることなく、そのほかに例えば合成樹脂繊維糸、例えばポリアミド繊維糸、ポリエチレン繊維糸、ポリプロピレン繊維糸、ポリビニールアルコール繊維糸、ポリアクリル繊維糸、ポリ塩化ビニール繊維糸、および／または例えば木綿、麻、絹、羊毛など天然繊維糸を用いてベース組織部２を編成するようにしてもよい。
【００３３】
また、表層組織部３を編成するための前記表層組織部編成用縦糸５は、本実施形態では、糸径が４４〜６２０（ＤＴ）の２本のポリウレタンスパン糸を組合わせて使用されるアトラス編から形成される全体が菱形の組織柄よりなる滑り止め機能を発揮する場合を代表的な例示として説明したが、糸の太さ、糸の本数の増減変更は自由であり、表層組織部３に編成するための組織柄もアトラス模様を組み合わした全体が菱形の図柄に限ることなく、例えばデンビー模様（ジグザグ模様）、そのほかの組織柄であってもよく、さらには編み方は本実施形態に限ることなく、縦平編、ゴム編、バンタイク編、コード編、ブレーン編、サテン編、ハーフ編、逆ハーフ編、パール編、またはそれらの組合わせでもよく、要はベース組織部２の片面に所望複数本の表層組織部編成用縦糸５を用いて２層の網目構造の表層組織部３を形成するようにした。また、使用される表層組織部編成用縦糸５は、本実施形態のようにポリウレタン糸を使用する場合に限ることなく、例えば合成繊維糸に天然ゴムまたは合成ゴム等のゴムをデッピングしたものを使用したり、または、ゴムをコーティングしたものを用いたり、さらには、ゴム紐単体を用いて表層組織部３を編成した場合にも本発明の適用範囲である。
【００３４】
【発明の効果】
本発明の請求項１に記載の発明は以上のように、合成繊維糸および／または天然繊維糸よりなり、ベース組織部を編成するベース組織部編成用縦糸と、ポリウレタン糸、または合成繊維糸にゴムをデッピングしたり、コーティングするか、ゴム紐単体よりなり、所望数個毎のコース取りにより所望の編目組織柄の表層組織部を形成する表層組織部編成用縦糸とを縦編みすることにより組織布が編成され、前記表層組織部は、前記ベース組織部の表面側または裏面側の何れか片面に編成されることを特徴とし、また、本発明の請求項２に記載の発明は、請求項１において表層組織部は、ウェル方向に配索される第１の表層組織部編成用縦糸と、第２の表層組織部編成用縦糸とを組合わせて編込まれ、第１の表層組織部編成用縦糸は、編目組織柄の断面が表面側にて前記ベース組織部および第２の表層組織部編成用縦糸の所望の編目に編込まれ、第２の表層組織部編成用縦糸は、裏面側と表面側との中間部に配索されて前記ベース組織部および第１の表層組織部編成用縦糸の所望の編目に編込まれることを特徴とするので、一面は生地素材の本来の風合いを発揮して、他面は滑り止め機能を確実に発揮し、また通気性、伸縮性、フィット性に優れ、回復力、耐久性も抜群である。
【００３５】
従って、特に、下着、補正下着等の衣服、また、帽子、靴の中敷、座布団、シーツ等の身回品、さらには、テニスラケット、ゴルフクラブ等のスポーツ用品のグリップに最適に使用でき、例えば下着、補正下着に適用した場合には、夏期等の高温下においてむれや血行不良によるかゆみを生ぜず、しかも粘着体を単に組織布に塗布するのとは異なり軟化することなく長時の使用や洗濯を繰り返して行っても品質が劣化したり、滑り止め材が脱落することなく、また、ゴム紐等とは異なり装用時に締付力による圧迫感はなく、肌に食込み跡を生ぜず、そのうえ塗布作業が不用になり、製品の製作工程を簡略化して製作効率の向上がはかれ、さらには安価に入取が行える。
【００３６】
また、本発明の請求項３に記載の発明は、請求項１または２において表層組織部編成用縦糸は、ウェル方向に配列される所望数本の筬目毎に配索されて各個にコース取りがなされる所望本数が組合わされることにより所望の編目組織柄が編成されることを特徴とし、また、本発明の請求項４に記載の発明は、請求項１，２，３の何れかにおいて表層組織部編成用縦糸は、ウェル方向に配列される所望数本の筬目毎に配列される２本１組のアトラス模様を組合わせて全体形状が略菱形に編成される組織図柄を形成することを特徴とし、さらには本発明の請求項５に記載の発明は、請求項１，２，または５の何れかにおいて表層組織部編成用縦糸は、ウェル方向に配列される所望数本の筬目毎に配列される２本１組の組合わせにより編成されるデンビー模様の組織図柄を形成することを特徴とするので、一面は生地素材の本来の風合いを発揮して、他面は滑り止め機能を確実に発揮する。
【００３７】
また、本発明の請求項６に記載の発明は、請求項１，２，３，４，または５の何れかにおいてベース組織部編成用縦糸と表層組織部編成用縦糸とにより編まれる組織布に対する表層組織部編層用縦糸の混率が、７０〜８０重量％含まれることを特徴とするので、１枚の組織布として軽量でありながら強度があり、充分な滑り止め機能が発揮される。
【００３８】
また、本発明の請求項７に記載の発明は、請求項１，２，３，４，５，または６の何れかにおいてベース組織部編成用縦糸の糸径が３３〜１６８（ＤＴ）であるのに対して表層組織部編成用縦糸の糸径が、４４〜６２０（ＤＴ）であることを特徴とするので、１枚の組織布１であっても、一面（裏面側）はベース組織部２により生地本来の風合いを発揮し、また、単一の１枚の組織布の他面（表面側）に編成されたポリウレタン糸よりなる所望の編目組織柄の表層組織部により滑り止め機能が確実に発揮され、軽量である。
【００３９】
また、本発明の請求項８に記載の発明は、請求項１，２，３，４，５，６，または７の何れかにおいてベース組織部編成用縦糸と表層組織部編成用縦糸との面積当たりの占有率が目付４８〜４０２ｇ／ｍ２であることを特徴とするので、１枚の組織布でありながら一面はベース組織部となし、他面は表層組織部となした強度のある目が詰まった組織布が形成される。
【００４０】
さらに、本発明の請求項９に記載の発明は、請求項１，２，３，４，６，７，または８の何れかにおいて組織布は、コート、上着等のアウター、また、下着、補正下着、生理用パンツ等のインナー、ナイティー、ズボン、パジャマ、水着等の衣服；帽子、靴の中敷、スリッパ、座布団、座布団カバー、シーツ、手袋等の身回品；テニスラケット、ゴルフクラブ、バット等のスポーツ用品のグリップ；の滑り止めとして使用することを特徴とするので、使用者が運動するのに追従して組織布による滑り止め機能により不用意なずれ動きを無くすことができる。
【図面の簡単な説明】
【図１】図１は本発明の滑り止め組織布の一実施形態を示し、編成する場合の組織図である。
【図２】図２は同じく本発明の滑り止め組織布を示す拡大断面図である。
【図３】図３は滑り止め組織布の網目構造を示す部分切欠斜視図である。
【図４】図４は本実施形態の滑り止め組織布を補正下着としてブラジャーに適用した正面図である。
【図５】図５は同じくガードルに適用した場合の正面図である。
【図６】図６は同じくガードルの背面図である。
【図７】図７はボディスーツに適用した正面図である。
【図８】図８は同じくキャミソールに適用した正面図である。
【符号の説明】
１　　組織布
２　　ベース組織部
３　　表層組織部
４　　ベース組織部編成用縦糸
５　　表層組織部編成用縦糸
５Ａ　第１の表層組織部編成用縦糸
５Ｂ　第２の表層組織部編成用縦糸
２０　ブラジャー
３０　ガードル
４０　ボディスーツ
５０　キャミソール
Ｘ　　ウェル方向
Ｙ　　コース方向
Ｔ　　厚み方向
【図１】
2004124273.tif 000003
【図２】
2004124273.tif 000004
【図３】
2004124273.tif 000005
【図４】
2004124273.tif 000006
【図５】
2004124273.tif 000007
【図６】
2004124273.tif 000008
【図７】
2004124273.tif 000009
【図８】
2004124273.tif 000010